(57)【要約】      （修正有）【課題】手袋と、衣服と、リュックサックと、帽子などに縫い付けられる指示ユニットを提供する。【解決手段】指示ユニットの構造は、１つの発光装置１０と、１つの締結機構４０から構成され、前記発光装置は、ＬＥＤランプ１２を有する配線板１１と、電源を提供するバッテリ１３とを備え、配線板の上に、制御ボタン１４を設け、透明上蓋１６より、発光装置を包み込み、透明上蓋の側縁と、締結機構の締結部材２０とを結合し、前記締結機構は、１つの締結部材と、１つの締結座３０で構成され、締結部材の周縁に、段階部２１を設け、締結部材の表面に、凹溝２２を設け、段階部に、１つの締結押板２４を備え、締結座の周縁にＵ字形の凹陥な滑走溝３１を設け、該滑走溝に締結溝３２を備え、締結座の底部は、軟質片体３３と一体に結合し、該透明上蓋は締結部材の凹溝の中に入れて、透明上蓋は発光装置を結合して、締結部材と一体に組み合わせ、締結部材より、締結座と嵌め付ける。【選択図】図１
0003157330.tif 000002
【実用新案登録請求の範囲】
【請求項１】
指示ユニットであって、その構造は、
１つの発光装置と、１つの締結機構から構成され、
前記発光装置は、LEDランプを有する配線板と、電源を提供するバッテリと、を備え、配線板の上に、制御ボタンを設け、透明上蓋より、発光装置を包み込み、透明上蓋の側縁と、締結機構の締結部材と、を結合し、
前記締結機構は、１つの締結部材と、１つの締結座で構成され、締結部材の周縁に、段階部を設け、締結部材の表面に、凹溝を設け、段階部に、１つの締結押板を備え、締結座の周縁に、Ｕ字形の凹陥な滑走溝を設け、該滑走溝に、締結溝を備え、締結座の底部は、軟質片体と、一体に結合し、該透明上蓋は、締結部材の凹溝の中に入れて、透明上蓋は発光装置を結合して、締結部材と一体に組み合わせ、締結部材より、締結座と嵌め付けることを特徴とする指示ユニット。
【請求項２】
前記透明上蓋には、１つの配線板を制御する制御ボタンを設けておることを特徴とする請求項１に記載の指示ユニット。
【請求項３】
前記透明上蓋の底縁に、防水封止リングを設けておることを特徴とする請求項１に記載の指示ユニット。
【請求項４】
前記LEDランプの外部に、ランプ蓋を設けておることを特徴とする請求項１に記載の指示ユニット。
【請求項５】
前記透明上蓋の側縁の両対向側に個々に結合孔を設け、締結部材の両対向側にも結合孔を設け、透明上蓋側縁の結合孔と締結部材側縁の結合孔を合わせ、ねじで、ねじ締め付け、発光装置と締結部材を、一体組み合わせることを特徴とする請求項１に記載の指示ユニット。
【請求項６】
前記LEDランプの発光状態は、持続と点滅状態を有することを特徴とする請求項１に記載の指示ユニット。
【請求項７】
前記軟質片体は、軟質ゴムであることを特徴とする請求項１に記載の指示ユニット。
【考案の詳細な説明】
【技術分野】
【０００１】
この考案は縫い付けられるLED方向指示ユニットに関する。特に、LEDランプを発光点滅すると、転向指示するの機能を有し、手袋と、衣服と、リュックサックと、帽子と、などに縫い付けられる指示ユニットに関する。
【背景技術】
【０００２】
従来の指示ユニットは、発光ランプと、制御ボタンと、配線板と、無線収発器と、ディスプレー装置で構成される。指示ユニット機能が具備しておるが、その装置が、自転車の上に取り付けたので、使用上に限定される。（中華民国特許公報Ｍ３２７８２９号）
【考案の開示】
【考案が解決しようとする課題】
【０００３】
前述従来の指示ユニットは、自転車の上に取り付けたので、使用上に限定される
この考案は、以上の問題を解決し、LEDランプを発光点滅警示すると、転向指示するの機能を有し、手袋と、衣服と、リュックサックと、帽子と、などに縫い付けられる指示ユニットを提供することを課題とする。
【課題を解決するための手段】
【０００４】
そこで、本考案者は従来の技術に見られる欠点に鑑み鋭意研究を重ねた結果、指示ユニットの構造は、
１つの発光装置と、１つの締結機構から構成され、
前記発光装置は、LEDランプを有する配線板と、電源を提供するバッテリと、を備え、配線板の上に、制御ボタンを設け、透明上蓋より、発光装置を包み込み、透明上蓋の側縁と、締結機構の締結部材と、を結合し、
前記締結機構は、１つの締結部材と、１つの締結座で構成され、締結部材の周縁に、段階部を設け、締結部材の表面に、凹溝を設け、段階部に、１つの締結押板を備え、締結座の周縁に、Ｕ字形の凹陥な滑走溝を設け、該滑走溝に、締結溝を備え、締結座の底部は、軟質片体と、一体に結合し、該透明上蓋は、締結部材の凹溝の中に入れて、透明上蓋は発光装置を結合して、締結部材と一体に組み合わせ、締結部材より、締結座と嵌め付ける。
【考案の効果】
【０００５】
この考案によれば、LEDランプを発光点滅警示すると、転向指示するの機能を有し、手袋と、衣服と、リュックサックと、帽子と、などに縫い付けられる指示ユニットを提供して、交通安全に貢献する。
【実施例】
【０００６】
図１〜３に、この考案の指示ユニットの実施例より構造の説明図を開示する。図面によれば、この考案による指示ユニットは、１つの発光装置１０と、１つの締結機構４０で構成され、締結機構４０は、１つの締結部材２０と、１つの締結座３０で構成される。
発光装置１０は、１つの配線板１１を設け、配線板１１の上方に、複数のLEDランプ１２を備え、配線板１１の下方に、電源として、バッテリ１３を設け、配線板１１の上に、LEDランプ１２の開閉或いは発光状態（持続或いは点滅発光）を、制御する制御ボタン１４を具備し、毎１つのLEDランプ１２の外部に、１つのランプ蓋１５を設け、さらに、１つの透明上蓋１６を有し、全部の前述部材ら（配線板１１と、バッテリ１３と、ランプ蓋１５）を、包み込み、該透明上蓋１６には、制御ボタン１４の対応位置に、１つのボタン１７を設け、ボタン１７を通じて、配線板１１の制御ボタン１４を、押圧し、なお、該透明上蓋１６の底縁に、防水封止リング１９を設け、また、透明上蓋１６には、防水封止リング１９の上縁の対向側に、個々に１つの結合孔１８を設ける。該透明上蓋１６が、複数のランプ蓋１５と、配線板１１と、バッテリ１３と、を包み込み、防水封止リング１９と、揃えて、締結部材２０の凹溝２２の中に入れて、透明上蓋１６の側縁の結合孔１８と、締結部材２０の側縁の結合孔２３と、を合わせ、ねじ２５で、透明上蓋１６と締結部材２３を、ねじ締め付けて、発光装置１０と、締結部材２０と、を１体に組み合わせる。
前記締結機構４０は、締結部材２０と、締結座３０と、で構成される。締結部材２０の周縁に、段階部２１を設け、締結部材２０の表面に、凸縁を有し、凹溝２２を形成し、凸縁の両対向側に、個々に１つの結合孔２３を設け、段階部２１に、１つの締結押板２４を備える。締結座３０の周縁に、Ｕ字形の凹陥な滑走溝３１を設け、また、滑走溝３１には、締結押板２４と、対応位置に、締結溝３２を備える。締結座３０の底部は、軟質片体３３と、一体に結合し、該軟質片体３３は、柔軟なゴム薄片である。締結溝３２の中に、締結押板２４が、穿入する。
図４に示すように、軟質片体３３は、ミシン針３４とミシン糸３５で、ジャケット５０に、或いは手袋６０に（図６に示すように）、或いはリュックサック７０に（図７に示すように）、縫い付けられ、軟質片体３３の取り付けより、締結座３０が、ジャケット５０に、或いは手袋６０に、或いはリュックサック７０に、しっかりと、結合し；図４，７に示すように、自転車乗り手のリュックサック７０と、手袋６０と、に軟質片体３３を有する締結座３０を、縫い付け、該締結座３０に、締結部材２０が、簡易で嵌め付けられ、締結部材２０の発光装置１０の制御ボタン１７を、押圧するより、LEDランプ１２を発光させ、該LEDランプ１２から発生された光線が、透明上蓋１６を通じて、外へ発散して、自転車乗り手は、闇のなかに、走行中、或いは転向中に、よく示される。
図５に示すように、締結座３０は、軟質片体３３と、一体結合し、締結部材２０の段階部２１と、締結座３０の滑走溝３１と、の嵌め付くより、発光装置１０と、締結部材２０と、締結座３０と、軟質片体３３と、を一体結合となり、なお、締結部材２０の締結押板への押圧より、締結部材２０が、締結座３０から、脱出できる。
また、図６に、この考案の第２実施例より構造の分離斜視図を開示する。該構造は、前記第１の実施例と、下記以外は、全然同一である。発光装置１０の配線板１１から、電線６１で、別の制御ボタン６２を延設し、該制御ボタン６２は、手袋６０の人さし指部のなかに設け、自転車乗り手が、人さし指を、ハンドルへ、叩くより、制御ボタン６２を押圧で、指示ユニットを制御し、例えば、１つの押圧は、ランプを点滅開始させ、２つの押圧は、ランプの点滅を停止させ、自転車乗り手が便利で使用できる。なお、この装置を縫い付けた、ジャケット５０、或いは、リュックサック７０は、洗濯するときに、締結部材２０の締結押板２４を、押圧すれば、締結部材２０が、締結座３０から、分離させ、締結座３０と、軟質片体３３と、はジャケット５０、或いは、リュックサック７０と、一緒に洗濯させ、装置の脱着が極めて便利である。
【図面の簡単な説明】
【０００７】
【図１】この考案の実施例の分離斜視図である。
【図２】この考案の実施例の立体斜視図である。
【図３】この考案の実施例の断面図である。
【図４】この考案の実施例の締結座を物件に縫い合わせの説明図である。
【図５】この考案の実施例の結合説明図である。
【図６】この考案第２実施例の分離斜視図である。
【図７】この考案の使用説明図である。
【符号の説明】
【０００８】
１０       発光装置
１１       配線板
１２       LEDランプ
１３       バッテリ
１４       制御ボタン
１５       ランプ蓋
１６       透明上蓋
１７       ボタン
１８       結合孔
１９       防水封止リング
２０       締結部材
２１       段階部
２２       凹溝
２３       結合孔
２４       締結押板
２５       ねじ
３０       締結座
３１       滑走溝
３２       締結溝
３３       軟質片体
３４       ミシン針
３５       ミシン糸
４０       締結機構
５０       ジャケット
６０       手袋
６１       電線
６２       制御ボタン
７０       リュックサック
【図１】
0003157330.tif 000003
【図２】
0003157330.tif 000004
【図３】
0003157330.tif 000005
【図４】
0003157330.tif 000006
【図５】
0003157330.tif 000007
【図６】
0003157330.tif 000008
【図７】
0003157330.tif 000009